【手続補正書】
【提出日】平成15年7月2日(2003.7.2)
【手続補正１】
【補正対象書類名】明細書
【補正対象項目名】特許請求の範囲
【補正方法】変更
【補正の内容】
【特許請求の範囲】
【請求項１】
入力信号をミキシング信号と共にミキシングして、ミックスされた信号を形成するためのミキサー回路において：
第一の入力側および第一の出力側を備え且つ前記第一の入力側は前記入力信号を受信するように接続された第一のトランジスタを有すると共に、第二の入力側および第二の出力側を備え且つ前記第二の入力側は前記入力信号を受信するように接続された第二のトランジスタを有する増幅段階であって、前記第一のトランジスタは前記第一の出力側に第一の増幅された信号を発生させるためのものであり、前記第二のトランジスタは前記第二の出力側に第二の増幅された信号を発生させるためのものである増幅段階と；
前記増幅段階の第一のトランジスタにおける前記第一の出力側と入力側との間に接続されたフィードバック素子と；
前記増幅段階の前記第二のトランジスタにおける前記第二の出力側に接続されると共に、前記ミキシング信号を受信するように接続されて、前記第二の増幅された信号および前記ミキシング信号をミックスすることにより、ミックスされた信号を形成するためのミキシング素子とを具備するミキサー回路。
【請求項２】
請求項１に記載のミキサー回路であって、更に、前記増幅段階の第一のトランジスタにおける前記第一の出力側とバイアス源との間に接続された抵抗素子を具備し、前記抵抗素子は、前記フィードバック素子と共通のノードにおいて前記第一の出力側に接続されているミキサー回路。
【請求項３】
請求項２に記載のミキサー回路であって、前記ミキシング素子は更に前記バイアス源に接続されており、前記抵抗素子で発生した電流は、大きさにおいて、前記ミキシング素子で発生した電流に対応するミキサー回路。
【請求項４】
請求項１に記載のミキサー回路であって、前記入力信号は電圧信号を含み、前記第一の増幅された信号は前記電圧信号の電圧レベルに応答する第一の電流レベルの電流信号を含み、前記第二の増幅された信号は前記電圧信号の電圧レベルに応答する第二の電流レベルの電流信号を含むミキサー回路。
【請求項５】
請求項４に記載のミキサー回路であって、前記第一のトランジスタは第一の相互コンダクタンストランジスタを含み、前記第二のトランジスタは第二の相互コンダクタンストランジスタを含み、前記増幅段階は相互コンダクタンス段階を含むミキサー回路。
【請求項６】
請求項１に記載のミキサー回路であって、前記ミキシング素子は、前記増幅段階の第二のトランジスタにおける前記第二の出力側とバイアス源との間に並列に接続された、第一のスイッチトランジスタおよび第二のスイッチトランジスタを含むミキサー回路。
【請求項７】
請求項６に記載のミキサー回路であって、前記第一のスイッチトランジスタおよび前記第二のスイッチトランジスタは、実質的に対応するトランジスタ特性のものであるミキサー回路。
【請求項８】
請求項７に記載のミキサー回路であって、実質的に対応する前記第一のスイッチトランジスタおよび前記第二のスイッチトランジスタのトランジスタ特性にはトランジスタ形状が含まれ、該トランジスタ形状は、該トランジスタへの前記第二の増幅された信号の印加を可能にするサイズであるように選択されるミキサー回路。
【請求項９】
請求項１に記載のミキサー回路であって、前記入力信号は、無線受信機で受信された無線信号周波数の無線信号を表す受信信号を含み、前記ミキシング信号は、前記無線信号周波数よりも低いミキシング信号周波数であり、前記ミキシング素子はダウンミックスされた周波数のミックスされた信号を形成するミキサー回路。
【請求項１０】
請求項１に記載のミキサー回路であって、前記入力信号は送信信号周波数の送信信号を含み、前記ミキシング信号は前記送信信号周波数よりも大きいミキシング信号周波数のものであるミキサー回路。
【請求項１１】
請求項１に記載のミキサー回路であって、前記フィードバック素子は、選択されたフィードバック抵抗を示すフィードバック抵抗器を含むミキサー回路。
【請求項１２】
請求項１に記載のミキサー回路であって、前記入力信号は異なる入力信号対を含み、前記ミキシング信号は異なるミキシング信号対を含み、前記増幅段階は第一の異なる増幅部および第二の異なる増幅部を含み、前記第一のトランジスタは第一部分の第一のトランジスタおよび第二部分の第二のトランジスタを含み、前記第二のトランジスタは第一部分の第二トランジスタおよび第二部分の第二のトランジスタを含み、前記第一部分の第一のトランジスタおよび前記第一部分の第二のトランジスタは前記第一の異なる増幅部を形成し、また前記第二部分の第一のトランジスタおよび前記第二部分の第二のトランジスタは前記第二の異なる増幅部を形成するミキサー回路。
【請求項１３】
請求項１２に記載のミキサー回路であって、前記フィードバック素子は第一のフィードバック素子および第二のフィードバック素子を含み、前記第一のフィードバック素子は、前記第一の異なる増幅部における前記第一部分の第一のトランジスタと前記第二部分の第二のトランジスタとの間に接続され、また前記第二のフィードバック素子は、前記第二の異なる増幅部における前記第二部分の第一のトランジスタと前記第二部分の第二のトランジスタとの間に接続されるミキサー回路。
【請求項１４】
請求項１３に記載のミキサー回路であって、前記ミキシング素子は前記第一の異なる増幅部および前記第二の異なる増幅部の両方に接続され、また前記ミキシング素子により発生された前記ミックスされた信号は、第一の異なるミックスされた信号および第二の異なるミックスされた信号で形成されるミキサー回路。
【請求項１５】
送信されてきたダウンリンク信号を受信するように動作する無線受信機において、前記ダウンリンク信号および前記ダウンミキシング信号を表す受信信号を受信するように接続され、そこからダウンミックスされた信号を形成するためのミキサー回路の改良であって：前記ミキサー回路は、
第一の入力側および第一の出力側を備え且つ前記第一の入力側は前記受信信号を受信するように接続された第一のトランジスタを有すると共に、第二の入力側および第二の出力側を備え且つ前記第二の入力側は前記受信信号を受信するように接続された第二のトランジスタを有する増幅段階であって、前記第一のトランジスタは前記第一の出力側に第一の増幅された信号を発生させるためのものであり、前記第二のトランジスタは前記第二の出力側に第二の増幅された信号を発生させるためのものである増幅段階と；
前記増幅段階の第一のトランジスタにおける前記第一の出力側と入力側との間に接続されたフィードバック素子と；
前記増幅段階の前記第二のトランジスタにおける前記第二の出力側に接続されると共に、前記ダウンミキシング信号を受信するように接続されて、前記第二の増幅された信号および前記ダウンミキシング信号をミックスすることにより、ダウンミックスされた信号を形成するためのミキシング素子とを具備する改良。
【請求項１６】
無線送信機において、その第一の入力に印加される送信信号およびその第二の入力に印加されるミキシング信号を有し、アップミックスされた信号を形成するためのミキサー回路の改良であって：前記ミキサー回路は、
第一の入力側および第一の出力側を備え且つ前記第一の入力側は前記送信信号を受信するように接続された第一のトランジスタを有すると共に、第二の入力側および第二の出力側を備え且つ前記第二の入力側は前記送信信号を受信するように接続された第二のトランジスタを有する増幅段階であって、前記第一のトランジスタは前記第一の出力側に第一の増幅された信号を発生させるためのものであり、前記第二のトランジスタは前記第二の出力側に第二の増幅された信号を発生させるためのものである増幅段階と；
前記増幅段階の第一のトランジスタにおける前記第一の出力側と入力側との間に接続されたフィードバック素子と；
前記増幅段階の前記第二のトランジスタにおける前記第二の出力側に接続されると共に、前記アップミキシング信号を受信するように接続され、前記第二の増幅された信号および前記アップミキシング信号をミックスすることにより、前記ミックスされた信号を形成するためのミキシング素子とを具備する改良。
【請求項１７】
入力信号をミキシング信号と共にミックスするための方法であって：
増幅段階における第一のトランジスタおよび第二のトランジスタに対して並列に入力信号を印加し、ここで前記第一のトランジスタは第一の入Y碌側および第一の出力側を有し、前記第二のトランジスタは第二の入力側および第二の出力側を有することと；
前記第一のトランジスタにおける第一の出力側に、第一の増幅された信号を発生させることと；
前記第二のトランジスタにおける第二の出力側に、第二の増幅された信号を発生させることと；
前記第一のトランジスタにおける第一の出力側に発生した前記第一の増幅された信号を、フィードバック素子により、前記第一の増幅器における第一の入力側に接続することと；
前記第二の増幅された信号をミキシング素子に印加することと；
前記ミキシング信号を前記ミキシング素子に印加することと；
前記ミキシング素子に印加された前記第二の増幅された信号を前記ミキシング信号と共にミックスすることにより、前記ミックスされた信号を形成することとを具備する方法。
【請求項１８】
請求項１７に記載の方法であって、前記増幅段階に印加された入力信号は電圧信号を含み、前記第一の増幅された信号および前記第二の増幅された信号は電流信号を含み、該電流信号は前記電圧信号の電圧レベルに関連した電流レベルである方法。。
【請求項１９】
請求項１７に記載の方法であって、前記接続するステップは、前記第一の増幅された信号の第一の部分を前記第一のトランジスタにおける第一の入力側に分岐させることを含む方法。
【請求項２０】
請求項１９に記載の方法であって：前記第一のトランジスタにおける第一の出力側に発生した前記第一の増幅された信号を負荷素子に接続すること；および前記第一の増幅された信号の第二の部分を前記負荷素子に分岐させることの追加の動作を含む方法。